(57)【要約】【課題】少量陳列で視覚的に大量に陳列されているように見える商品陳列台を提供すること。【解決手段】多数の係合孔１２を有する前方下り傾斜の左右一対のブラケット支持部材１ａと、該ブラケット支持部材１ａの係合孔１２に係合して水平陳列面を形成する第１の係合爪２３、ブラケット支持部材１ａの係合孔１２に係合して傾斜状の陳列面を形成する第２の係合爪２４、第１の係合爪２３と第２の係合爪２４を有する左右一対のブラケット２１及該ブラケット２１間を接続する差し渡し部材２２を備える棚板支持部材２の複数個と、複数個の棚板支持部材２に載置される複数個の棚板３とを有し、ブラケット支持部材１ａの係合孔１２と第１の係合爪２３の係合による階段状陳列面又はブラケット支持部材１ａの係合孔１２と第２の係合爪２４の係合による傾斜状陳列面を形成する商品陳列台１０。【選択図】図１
0003124091.tif 000002
【実用新案登録請求の範囲】
【請求項１】
多数の係合孔を有する前方下り傾斜の左右一対のブラケット支持部材と、
該ブラケット支持部材の係合孔に係合して水平陳列面を形成する第１の係合爪、該ブラケット支持部材の係合孔に係合して傾斜状の陳列面を形成する第２の係合爪、該第１の係合爪と該第２の係合爪を有する左右一対のブラケット及び該ブラケット間を接続する差し渡し部材を備える棚板支持部材の複数個と、
該複数個の棚板支持部材に載置される複数個の棚板と、を有し、
少なくとも該ブラケット支持部材の係合孔と第１の係合爪の係合による階段状陳列面又は該ブラケット支持部材の係合孔と第２の係合爪の係合による傾斜状陳列面を形成することを特徴とする商品陳列台。
【請求項２】
前記差し渡し部材は、前後一対の棒部材又は面材であることを特徴とする請求項１記載の商品陳列台。
【請求項３】
前記棚板の裏面に第１係止突起を有し、該第１係止突起は、該棚板支持部材の後方角棒に係止して該棚板の前方移動を規制することを特徴とする請求項１又は２記載の商品陳列台。
【請求項４】
前記棚板の裏面に、該第１係止突起と該一対の角棒の前後方向における外側端間の距離以上離間した第２係止突起を有し、該第２係止突起は、該棚板支持部材の前方角棒に係止して該棚板の後方移動を規制することを特徴とする請求項３記載の商品陳列台。
【請求項５】
前記棚板は、該棚板支持部材上を前後に所定幅で移動可能な移動棚であることを特徴とする請求項４記載の商品陳列台。
【請求項６】
前記ブラケット支持部材の下方端から下方へ垂直に延び、多数の係合孔を有する左右一対の第２ブラケット支持部材を更に有することを特徴とする請求項１〜５のいずれか１項記載の商品陳列台。
【請求項７】
前記ブラケット支持部材及び該第２ブラケット支持部材は、囲み状側枠体の一部を構成することを特徴とする請求項１〜６のいずれか１項記載の商品陳列台。
【請求項８】
前記第２ブラケット支持部材間に棚板支持部材を取り付け、該棚板支持部材上に棚板を設置することを特徴とする請求項６又は７記載の商品陳列台。
【請求項９】
前記囲み状側枠体の内空間に、嵌め込みで付設されるものであって、上下複数段の陳列棚を有する側陳列棚を更に有することを特徴とする請求項１〜８のいずれか１項記載の商品陳列台。
【請求項１０】
前記側陳列棚の陳列棚上の空間は、実質的に該囲み状側枠体の内側に位置することを特徴とする請求項１〜９のいずれか１項記載の商品陳列台。
【請求項１１】
前記ブラケットは側面視で略逆台形の板状物であって、該略逆台形の後方斜辺に相当する面に第１の係合爪を有し、該略逆台形の上底に相当する部分に第２の係合爪を有することを特徴とする請求項１〜１０のいずれか１項記載の商品陳列台。
【請求項１２】
前記棚板の陳列面には、商品仕切り板が係合する横溝又は縦溝が形成されていることを特徴とする請求項１〜１１のいずれか１項記載の商品陳列台。
【請求項１３】
商品仕切り板を、前記横溝又は縦溝に設置することを特徴とする請求項１〜１２のいずれか１項記載の商品陳列台。
【請求項１４】
商品陳列棚群の長手方向の端部に設置されることを特徴とする請求項１〜１３のいずれか１項記載の商品陳列台。
【考案の詳細な説明】
【技術分野】
【０００１】
本発明は、スーパーなどの商品陳列棚群の長手方向の端部位置に設置することが好適な商品陳列台に関するものである。
【背景技術】
【０００２】
従来、図１２に示すように、スーパーなどの商品陳列台群１０１の長手方向の端部位置には、嵩のある目玉商品Ａを大量に積み重ねて陳列することがある。この場合、通常の上下の複数棚を構成する陳列棚１０２、１０３では嵩のある商品を大量には陳列できないため、最下段には、平面視で陳列面積が大となる大きな陳列台１０４が設置されることになる。
【考案の開示】
【考案が解決しようとする課題】
【０００３】
近年、コンピュータによる陳列商品の在庫管理がきめ細かく行われており、大量に売りたい商品であっても、陳列面には少量陳列の傾向にある。少量陳列で陳列サイクルを頻繁に行うことができれば、在庫期間が短縮できる。しかしながら、従来の商品陳列台１００において、少量陳列すると陳列が貧弱に見え、購買意欲を低下させるという問題がある。従って、少量陳列で視覚的に大量に陳列されているように見える陳列台の開示が望まれていた。
【０００４】
従って、本考案の目的は、少量陳列で視覚的に大量に陳列されているように見える商品陳列台を提供することにある。
【課題を解決するための手段】
【０００５】
従って、本考案は上記課題を解決するものであって、多数の係合孔を有する前方下り傾斜の左右一対のブラケット支持部材と、該ブラケット支持部材の係合孔に係合して水平陳列面を形成する第１の係合爪、該ブラケット支持部材の係合孔に係合して傾斜状の陳列面を形成する第２の係合爪、該第１の係合爪と該第２の係合爪を有する左右一対のブラケット及び該ブラケット間を接続する差し渡し部材を備える棚板支持部材の複数個と、該複数個の棚板支持部材に載置される複数個の棚板と、を有し、少なくとも該ブラケット支持部材の係合孔と第１の係合爪の係合による階段状陳列面又は該ブラケット支持部材の係合孔と第２の係合爪の係合による傾斜状陳列面を形成する商品陳列台を提供するものである。
【考案の効果】
【０００６】
本考案の商品陳列台において、階段状の陳列面に嵩高の商品を積み重ねることなく、隙間なく横並びに少量陳列すれば、外観からは陳列面が隠され、一見して陳列商品が山積みされているように見える。このため、少量陳列で視覚的に大量に陳列されているように見える。一方、傾斜状陳列面に陳列商品を前後方向に区画する商品仕切り板を設置して、該陳列面に嵩高の商品を積み重ねることなく、隙間なく横並びに少量陳列すれば、外観からは陳列面が隠され、一見して陳列商品が山積みされているように見える。また、階段状の陳列面において、棚板を前方に移動させて使用すれば、顧客側に陳列面が迫るため、効果的な陳列面を演出できる。また、側陳列棚を更に付設すれば、階段状又は傾斜状の陳列面に陳列した商品の関連商品を同じ商品陳列台に陳列でき、効果的な陳列を演出できる。
【考案を実施するための最良の形態】
【０００７】
次ぎに、本考案の実施の形態における商品陳列台を図１〜図８を参照して説明する。図１は本例の商品陳列台の斜視図、図２は図１の商品陳列台の分解斜視図、図３は図１の商品陳列台で使用する棚板の斜視図、図４は図１の商品陳列台で使用する棚板支持部材の斜視図、図５は図１の商品陳列台で使用する棚板の側面図、図６は棚板と棚板支持部材の係止関係を示す図、図７は棚板と棚板支持部材の他の係止関係を示す図、図８はスカート板の側面図をそれぞれ示す。なお、本明細書中、「前」とは顧客側を言い、「後」とはその反対側を言う。
【０００８】
商品陳列台１０は、枠体本体１、棚板支持部材２、棚板３、スカート板５、側陳列棚４を組みつけたものである。枠体本体１は、所定距離離間して配置される左右一対の囲み状側枠体１１、１１と、囲み状側枠体１１、１１を接続する天板１６と、補強角棒部材である桟部材１７ａ〜１７ｅと、底桟部材１７ｃ、１７ｄに付設される４つのキャスター８から構成される。また、囲み状側枠体１１、１１は、多数の係合孔を有する前方下り傾斜の左右一対のブラケット支持部材１ａと、ブラケット支持部材１ａの下方端から下方へ垂直に延び、多数の係合孔を有する左右一対の第２ブラケット支持部材１ｂ、１ｂと、前後方向に延びる下方部材１３、上方部材１５と、上下方向に延びる後方部材１４とからなり、左側面視で、矩形状の右上部分の三角形が省略されたような特定形状を呈する。なお、枠体本体１は、上記形態に限定されず、第２ブラケット支持部材１ｂ、１ｂが省略された形態、すなわち前方部材がブラケット支持部材１ａで構成されるものであってもよい。この形態であっても、階段状又は傾斜状の陳列面を形成することができる。
【０００９】
棚板支持部材２は、ブラケット支持部材１ａの係合孔１２に係合して棚板３が付設された場合、棚板３が水平陳列面を形成する第１の係合爪２３、ブラケット支持部材１ａの係合孔１２に係合して棚板３が付設された場合、棚板３が傾斜状の陳列面を形成する第２の係合爪２４、第１の係合爪２３と第２の係合爪２４を有する左右一対のブラケット２１及びブラケット２１間を接続する前後一対の棒部材である差し渡し部材２２を備える。ブラケット２１は側面視で略逆台形の板状物であって、略逆台形の後方斜辺２５に相当する面に第１の係合爪２３を有し、台形の上底（図４中では下の辺）２６に相当する部分に第２の係合爪２４を有する。棚板支持部材２は本例では５つであり、前後方向に所定ピッチで枠体本体１のブラケット支持部材１ａの係合孔１２に係合して設置される。第１の係合爪２３がブラケット支持部材１ａの係合孔１２に係合すれば、一対の差し渡し部材２２、２２の上面が水平となり、第２の係合爪２４がブラケット支持部材１ａの係合孔１２に係合すれば、一対の差し渡し部材２２、２２が傾斜状になる。第１の係合爪２３又は第２の係合爪２４の係合孔１２への係合位置の変更は、手で棚板支持部材２を係合孔１２から取外して行えばよい。
【００１０】
棚板３は、棚板支持部材２に載置され陳列面を形成するものであって矩形状の棚板本体３１と、棚板本体３１の裏面に付設される略Ｌ字断面形状の第１係止突起３２と、第１係止突起３２より前方に位置し、第１係止突起３２と所定距離離間するＩ字断面形状の第１係止突起３２から構成される。第１係止突起３２と第１係止突起３２の前後方向における距離は、一対の差し渡し部材２２の前後方向における外側端間以上の距離で且つ棚板幅以内である。棚板本体３１の陳列面には商品仕切り板が係合する横溝３５と縦溝３４が碁盤目模様を呈するように形成されている。一対の差し渡し部材２２としては、角棒部材、丸棒部材または面材部材のいずれであってもよい。
【００１１】
棚板３は棚板支持部材２に載置され、前後方向に移動可能な移動棚となる。すなわち、棚板３が水平面を形成する場合、すなわち、陳列棚面が階段状を形成する場合、第１係止突起３２が、棚板支持部材２の後方角棒２２の後方面に係止して棚板３の前方への移動を規制する第１の設置位置（図６）と、第２係止突起３３が、棚板支持部材２の前方角棒２７の前方面に係止して棚板３の後方への移動を規制する第２の設置位置（図７）の２通りの設置形態をとることができる。第１の設置位置から第２の設置位置、第２の設置位置から第１の設置位置は、それぞれ手で棚板３を移動させて行うことができる。また、陳列棚面が傾斜状を形成する場合、棚板３は重力落下で斜め下方へ移動して、自然に図７の設置位置となる。階段状の陳列面において、棚板３を前方に移動させて使用すれば、顧客側に陳列面が迫るため、効果的な陳列面を演出できる。
【００１２】
スカート板５は、囲み状側枠体１１、１１の下方の空間を目隠しする板状物であり、本体部５１、鉤状の上方係合片５２、下方係合片５３を備える。スカート板５は上方係合片５２を桟部材１７ｅに係止させ、下方係合片５３を桟部材１７ｆ係止させることで設置することができる。
【００１３】
側陳列棚４は、左右一対の囲み状側枠体１１、１１の内空間に、それぞれ嵌め込みで付設される左右一対の陳列棚であって、囲み状側枠体１１、１１の内寸法と所定の深さ（奥行き幅）を有する有底本体部４２と、有底本体部４２の側端に付設される鍔部４１と、本体部４２の内部を上下複数段に区画する第２陳列棚４３〜４５を有する。囲み状側枠体１１、１１の内空間に側陳列棚４を入れ込むことにより、鍔部４１が陳列面の側板となり、陳列商品が左右の端から転落するのを防止する。また、囲み状側枠体１１、１１の天板１６位置にも鍔部４１が形成されることから、当該天板１６上にも商品を陳列することができる。側陳列棚４を付設することにより、階段状又は傾斜状の陳列面に陳列した商品の関連商品を同じ商品陳列台に陳列でき、効果的な陳列を演出できる。
【００１４】
なお、商品陳列台１０においては、側陳列棚４の設置を省略して、内部空間を目隠しするための板状壁を付設してもよく、また、一方の側面には側陳列棚４を設置し、他方の側面には板状壁を付設してもよい。また、第２ブラケット支持部材１ｂ、１ｂ間に棚板支持部材２を取り付け、棚板支持部材２上に棚板３を設置するようにしてもよい。この場合、第２ブラケット支持部材１ｂ、１ｂの係合孔１２に、第１の係合爪２３を係合させれば、棚板３の陳列面は前方下り傾斜面となり、更に趣きのある陳列を演出できる。なお、この場合、前方下り傾斜面には、横溝に商品仕切り板を設置して、陳列商品の前方への転落を防止する（図９の最前の棚板）。なお、図９は図面に簡略化のため、側陳列棚の記載は省略してある。
【００１５】
図１０は、商品陳列台１０において、ブラケット支持部材１ａの係合孔１２に第２の係合爪２４を係合させて、棚板３の陳列面を前方傾斜面としたものである。この場合、棚板３の横溝に商品仕切り板を設置して、陳列商品が前方へ転落することを防止する（図１１参照）。この形態によれば、該陳列面に嵩高の商品を積み重ねることなく、隙間なく横並びに少量陳列すれば、外観からは陳列面が隠され、一見して陳列商品が山積みされているように見える。また、図１０の商品陳列台においても、前記同様に、側陳列棚４の設置を省略して、内部空間を目隠しするための板状壁を付設してもよく、また、一方の側面には側陳列棚４を設置し、他方の側面には板状壁を付設してもよい。また、第２ブラケット支持部材１ｂ、１ｂ間に棚板支持部材２を取り付け、棚板支持部材２上に棚板３を設置するようにしてもよい。
【００１６】
本考案の商品陳列台１０は、ブラケット支持部材２の係合孔１２と第１の係合爪２３の係合による階段状陳列面を形成するか、又はブラケット支持部材２の係合孔１２と第２の係合爪２４の係合による傾斜状陳列面を形成するが、陳列形態はこの２形態に限定されず、例えば、水平状陳列面と傾斜状陳列面を交互に形成したもの、傾斜状陳列面と水平状陳列面を交互に形成したもの、数段が連続して水平状陳列面（階段状陳列面）を形成し、他の数段が連続して傾斜状陳列面を形成するものであってもよい。
【００１７】
商品陳列台１０の設置位置は、特に制限されないが、商品陳列棚群の長手方向の端部に設置することが好ましい。商品陳列棚群とは、本考案の商品陳列台１０以外の陳列棚であって、例えば図１２に示すような、中央の縦壁の両側に陳列棚を配した長手方向に連続する棚である。このような商品陳列棚群の長手方向の端部に商品陳列台１０を設置すれば、その端部は人の目に付き易い場所であるため、目玉商品などの陳列に好適である。
【００１８】
本実施の形態における商品陳列台は、階段状陳列面及び傾斜状の陳列面のいずれも採りうるため、陳列商品の種類に応じて、いずれかの陳列面を選択でき、該陳列面に陳列商品を積み重ねることなく、一層の横並びに隙間なく、陳列すれば、一見、盛り上がり状に見えるため、少量の陳列であっても大量に陳列されているように見える。
【図面の簡単な説明】
【００１９】
【図１】本実施の形態例の商品陳列台の斜視図。
【図２】図１の商品陳列台の分解斜視図。
【図３】図１の商品陳列台で使用する一部を破断して示す棚板の斜視図。
【図４】図１の商品陳列台で使用する一部を破断して示す棚板支持部材の斜視図。
【図５】図１の商品陳列台で使用する棚板の側面図。
【図６】棚板と棚板支持部材の係止関係を示す図。
【図７】棚板と棚板支持部材の他の係止関係を示す図。
【図８】スカート板の側面図。
【図９】本実施の形態例の商品陳列台の簡略化された側面図。
【図１０】本例の商品陳列台の他の使用形態における斜視図。
【図１１】図１０の商品陳列台の簡略化された側面図。
【図１２】従来の商品陳列台の斜視図。
【符号の説明】
【００２０】
１      枠体本体
１ａ    ブラケット支持部材
１ｂ    第２ブラケット支持部材
２      棚板支持部材
３      棚板
４      側陳列棚
５      スカート板
１０      商品陳列台
１１      囲み状側枠体
１２      係合孔
【図１】
0003124091.tif 000003
【図２】
0003124091.tif 000004
【図３】
0003124091.tif 000005
【図４】
0003124091.tif 000006
【図５】
0003124091.tif 000007
【図６】
0003124091.tif 000008
【図７】
0003124091.tif 000009
【図８】
0003124091.tif 000010
【図９】
0003124091.tif 000011
【図１０】
0003124091.tif 000012
【図１１】
0003124091.tif 000013
【図１２】
0003124091.tif 000014